(57)【要約】  所定のガンマ特性を有するプロセッサ２に着脱自在に接続されるスコープ１において、被検体の光学像を撮像して撮像信号を生成するイメージセンサ１１と、撮像信号を所定のゲインパラメータを用いて増幅するゲイン回路１３１と、プロセッサ２のガンマ特性を認識するガンマ特性認識部１３３と、プロセッサ２のガンマ特性に応じてゲインパラメータを設定するゲイン調整部１３２と、を有する。
2018042717.tif 000002
【特許請求の範囲】
【請求項１】
所定のガンマ特性を有するプロセッサに着脱自在に接続される電子内視鏡において、
被検体に挿入される挿入部の先端に設けられ、前記被検体の光学像を撮像して撮像信号を生成する撮像素子と、
前記撮像信号を所定のゲインパラメータを用いて増幅するゲイン回路と、
前記プロセッサの前記ガンマ特性を認識するガンマ特性識別部と、
前記ゲインパラメータを、前記ガンマ特性に応じて設定するゲイン調整部と、
を有する電子内視鏡。
【請求項２】
前記ガンマ特性識別部は、前記プロセッサから前記ガンマ特性を取得することを特徴とする、請求項１に記載の電子内視鏡。
【請求項３】
前記ガンマ特性認識部は、前記プロセッサから前記プロセッサの種別を取得することを特徴とする、請求項１に記載の電子内視鏡。
【請求項４】
前記プロセッサの種別または前記ガンマ特性に対応する前記ゲインパラメータを記録する記憶部を更に備え、前記ゲイン調整部は、前記ガンマ特性認識部の認識結果に対応する前記ゲインパラメータを抽出することを特徴とする、請求項３に記載の電子内視鏡。
【請求項５】
前記ゲイン調整部は、前記プロセッサのガンマ特性において、前記撮像信号の線形飽和レベルが、前記プロセッサから映像信号を出力するモニタの有効階調領域の上限レベルに変換されるように、前記ゲインパラメータを設定することを特徴とする、請求項１乃至請求項４のいずれか１つに記載の電子内視鏡。
【請求項６】
被検体に挿入される挿入部の先端に設けられ、前記被検体の光学像を撮像して撮像信号を生成する撮像素子と、前記撮像信号を所定のゲインパラメータを用いて増幅するゲイン回路とを備えた電子内視鏡と、
前記電子内視鏡に着脱自在に接続され、所定のガンマ特性を有するプロセッサと、
を備えた内視鏡システムにおいて、
前記プロセッサは、前記電子内視鏡おける前記撮像信号の線形飽和レベルを取得し、前記ガンマ特性を用いて前記ゲインパラメータを算出するゲイン算出部を有し、前記ゲイン回路は、前記ゲイン算出部で算出された前記ゲインパラメータを用いて前記撮像信号を増幅することを特徴とする、内視鏡システム。
【請求項７】
前記ゲイン算出部は、前記プロセッサのガンマ特性において、前記撮像信号の線形飽和レベルが、前記プロセッサから映像信号を出力するモニタの有効階調領域の上限レベルに変換されるように、前記ゲインパラメータを算出することを特徴とする、請求項６に記載の内視鏡システム。
【発明の詳細な説明】
【技術分野】
【０００１】
本発明の実施形態は、電子内視鏡及び内視鏡システムに関し、特に、プロセッサのレベルダイアグラムに応じて内視鏡の出力映像信号の増幅ゲインを自動的に調整することができる、電子内視鏡及び内視鏡システムに関する。
【背景技術】
【０００２】
近年、電子内視鏡（以下、スコープともいう）は、医療分野における診断や処置具を用いた治療などに広く用いられるようになった。電荷結合素子（ＣＣＤ）等の撮像素子を電子内視鏡の先端に設け、ＣＣＤを用いて撮像した観察像をビデオプロセッサ（以下、プロセッサと示す）によってモニタに映出する内視鏡システムが普及している。【０００３】
撮像素子は、入射光量が所定量に達するまで、入射光量に比例した電圧が出力される。そして、入射光量が所定量を超えると、出力電圧は入射光量に対する線形性を失い、所定のレベルで飽和する。従来のスコープでは、線形性が保持される最大出力電圧（以下、線形飽和レベルと示す）が、スコープからの出力映像信号の最大値となるように、映像信号のゲインを調整していた。すなわち、線形飽和レベルを超え線形性を保てない領域については、スコープからプロセッサに出力していなかった。また、従来のプロセッサは、スコープから入力される映像信号の最大値が、モニタに表示可能な出力映像信号の最大値になるように、ガンマ特性（以下、ガンマカーブと示す）が設定されていた。【０００４】
また、次世代のスコープから次世代のプロセッサに対して映像信号を出力する場合、スコープからの出力映像信号の線形飽和レベルが、モニタの有効階調領域の最大値となるように、スコープから出力される映像信号のゲインを調整する。すなわち、線形飽和レベルより高いレベルの電圧値まで出力することで、スコープから出力する映像信号に対するゲインが小さくなり、Ｓ／Ｎ比を改善することができる。【０００５】
これに対し、次世代のスコープを従来のプロセッサに接続した場合、スコープから出力される映像信号の最大値が、モニタに出力する映像信号の最大値となるように、ガンマカーブが設定されているため、線形飽和レベルを超えて線形性を保てない領域がモニタの有効階調領域に表示されてしまい、画質が劣化する可能性がある。一方、接続されたプロセッサに応じて、映像信号の処理に関する設定値を切り替えることが可能なスコープが提案されている（例えば、日本国特開２００４−１８１２３１号公報参照）。【０００６】
しかしながら、日本国特開２００４−１８１２３１号公報に記載されたスコープでは、映像信号のゲインの具体的な調整方法は開示されておらず、スコープから出力される映像信号において、線形飽和レベルを超えて線形性を保てない領域がモニタの有効階調領域に表示されてしまい、画質が劣化する問題を解決することができない。そこで、本発明は、スコープに接続されるプロセッサが変更された場合にも、ゲインを適切に調整することができ、モニタに表示する映像の画質の劣化を防ぐことができる、電子内視鏡、及び内視鏡システムを提供することを目的とする。
【発明の開示】
【課題を解決するための手段】
【０００７】
本発明の一態様の電子内視鏡は、所定のガンマ特性を有するプロセッサに着脱自在に接続される電子内視鏡において、被検体に挿入される挿入部の先端に設けられ、前記被検体の光学像を撮像して撮像信号を生成する撮像素子と、前記撮像信号を所定のゲインパラメータを用いて増幅するゲイン回路と、前記プロセッサの前記ガンマ特性を認識するガンマ特性識別部と、前記ゲインパラメータを、前記ガンマ特性に応じて設定するゲイン調整部と、を有する。【０００８】
また、本発明の一態様の内視鏡システムは、被検体に挿入される挿入部の先端に設けられ、前記被検体の光学像を撮像して撮像信号を生成する撮像素子と、前記撮像信号を所定のゲインパラメータを用いて増幅するゲイン回路とを備えた電子内視鏡と、前記電子内視鏡に着脱自在に接続され、所定のガンマ特性を有するプロセッサと、を備えている。前記プロセッサは、前記電子内視鏡おける前記撮像信号の線形飽和レベルを取得して前記ガンマ特性を用いて前記ゲインパラメータを算出するゲイン算出部を有し、前記ゲイン回路は、前記ゲイン算出部で算出された前記ゲインパラメータを用いて前記撮像信号を増幅する。
【図面の簡単な説明】
【０００９】
【図１】本発明の第１の実施形態に係わる内視鏡システムの全体構成の一例を説明するブロック図。
【図２】従来の内視鏡システムにおける、スコープからの出力映像信号レベルとモニタへの出力映像信号レベルとの関係を説明する図。
【図３】本発明の内視鏡システムにおける、スコープからの出力映像信号レベルとモニタへの出力映像信号レベルとの関係を説明する図。
【図４】第２の実施形態に係わる内視鏡システムの全体構成の一例を説明するブロック図。
【図５】第３の実施形態に係わる内視鏡システムの全体構成の一例を説明するブロック図。
【発明を実施するための最良の形態】
【００１０】
以下、図面を参照して実施形態を説明する。【００１１】
（第１の実施形態）
図１は、本発明の第１の実施形態に係わる内視鏡システムの全体構成の一例を説明するブロック図である。例えば図１に示すように、本実施形態の内視鏡システムは、体腔内に挿入し患部を観察あるいは処置するスコープ１と、スコープ１により撮像された映像信号に所定の信号処理を施すプロセッサ２とを有して構成されている。プロセッサ２には、信号処理が施された映像を表示するモニタ４と、スコープ１に照明光を供給する光源装置３とが接続されている。【００１２】
スコープ１は、患者の体腔内等に挿入可能な細長の挿入部を有しており、挿入部の先端には撮像素子として、例えばＣＣＤ等のイメージセンサ１１が配設されている。イメージセンサ１１は、被検体の光学像を撮像して所定の映像信号を出力する。【００１３】
挿入部の基端側にはコネクタ部１２が設けられており、着脱自在にプロセッサ２に接続されるようになされている。コネクタ部１２は、イメージセンサ駆動回路１２３と、映像信号受信回路１２１と、映像信号処理回路１２２と、ＦＰＧＡ１３とを有する。【００１４】
イメージセンサ駆動回路１２３は、後述するプロセッサ２のタイミング制御回路２１において生成されたクロック及び同期信号を受けて、イメージセンサ１１を駆動するための駆動信号を生成し、イメージセンサ１１に出力する。映像信号受信回路１２１は、イメージセンサ１１から出力される映像信号を受信する。【００１５】
映像信号処理回路１２２は、映像信号受信回路１２１で受信した映像信号に対し、所定の前処理を施す。映像信号受信回路１２１では、例えば、プリアンプ処理や、相関２重サンプリング処理、Ａ／Ｄ変換処理などの処理が行われる。なお、イメージセンサ１１がＣＭＯＳイメージセンサの場合、イメージセンサ１１内において、相関２重サンプリング処理やＡ／Ｄ変換処理がすでに行われている。従って、この場合、映像信号受信回路１２１ではこれらの処理は行わない。【００１６】
ＦＰＧＡ１３は、デジタルの映像信号に対して所定の信号処理を施すための回路や、プロセッサ２との間で信号を送受信するための回路が組み込まれている。ＦＰＧＡ１３は、具体的には、タイミング制御回路１３４と、通信回路１３６と、ガンマ特性認識部１３３と、ゲイン調整部１３２と、ゲイン回路１３１と、映像信号送信回路１３５の各要素が組み込まれている。【００１７】
タイミング制御回路１３４は、プロセッサ２のタイミング制御回路２１において生成されたクロック及び同期信号を受信し、ＦＰＧＡ１３内の各回路に所定の処理パルスを発生させる。また、受信したクロック及び同期信号を、イメージセンサ駆動回路１２３に出力する。【００１８】
通信回路１３６は、プロセッサ２の通信回路２５との間で種々の情報を通信するための回路である。具体的には、電気的もしくは機械的な判定手段により、スコープ１にプロセッサ２が接続されたことが検知されると、プロセッサ２に設定されているガンマカーブが、通信回路２５から通信回路１３６に送信される。なお、プロセッサ２に複数のガンマカーブが設定されている場合、少なくとも、傾きが最も緩やかなガンマカーブ（スコープ１からの出力信号レベルに対するモニタ４への出力信号レベルとの比率が、最も低いガンマカーブ）が、プロセッサ２から通信回路１３６に送信される。例えば、モニタ４に表示させる画像のコントラスト設定に応じて、プロセッサ２に複数のガンマカーブが設定されている場合、少なくとも、コントラストが一番低い設定のときに用いられるガンマカーブが送信される。【００１９】
ガンマ特性認識部１３３は、通信回路１３６で複数のガンマカーブを受信した場合に、ゲイン調整に用いるガンマカーブを抽出する。なお、ゲイン調整には、立ち上がりの傾きが最も緩やかなガンマカーブ（スコープ１からの出力信号レベルに対するモニタ４への出力信号レベルとの比率が、最も低いガンマカーブ）を用いる。【００２０】
ゲイン調整部１３２は、ガンマ特性認識部１３３で抽出されたガンマカーブに基づき、ゲイン回路１３１で用いるゲインパラメータを設定する。具体的には、スコープ１から出力される映像信号における線形飽和レベルが、モニタ出力映像信号レベルにおいてモニタ４の有効階調領域の最大値となるように、ゲインパラメータを設定する。【００２１】
ゲイン回路１３１は、ゲイン調整部１３２で設定されたゲインパラメータを用いて、映像信号処理回路１２２から受信した映像信号の出力レベルを調整する。【００２２】
映像信号送信回路１３５は、ゲイン回路１３１でゲイン調整された映像信号を、プロセッサ２に送信する。【００２３】
プロセッサ２は、スコープ１から入力された映像信号に所定の信号処理を施し、モニタ４に表示させる映像信号を生成し、モニタ４に出力する。プロセッサ２は、タイミング制御回路２１と、映像信号受信回路２４と、画像信号処理回路２２と、画像信号送信回路２３と、通信回路２５とを有する。【００２４】
タイミング制御回路２１は、所定の周波数のクロック信号と、同期信号とを生成し、スコープ１のタイミング制御回路１３４に出力する。また、タイミング制御回路２１で生成されたクロック信号と同期信号とは、光源装置３に出力される。映像信号受信回路２４は、スコープ１のＦＰＧＡ１３でゲイン調整された映像信号を受信し、画像信号処理回路２２に出力する。【００２５】
画像信号処理回路２２は、入力される映像信号に各種の処理を施して、モニタ４に表示させる映像信号を生成する。具体的には、入力された映像信号に対し、ホワイトバランス処理、色補正処理、歪み補正処理、強調処理などを施したり、選択されたガンマカーブを用いて、スコープ１から入力される映像信号のレベルを、モニタ４へ出力する映像信号のレベルに変換したりする。処理後の映像信号は、画像信号送信回路２３を介してモニタ４へ出力される。【００２６】
通信回路２５は、スコープ１の通信回路１３６との間で種々の情報を通信するための回路である。具体的には、スコープ１とプロセッサ２とが接続されると、プロセッサ２に設定されているガンマカーブが、通信回路２５から通信回路１３６に送信される。【００２７】
光源装置３は、照明光を生成する例えばランプ３１等の光源と、調光制御回路３２とを有する。ランプ３１から照射される照明光は、スコープ１のライトガイドの入射端面に集光される。なお、光源としては、図１に示すランプ３１の他に、例えばＬＥＤやレーザーダイオード（半導体光源）を用いてもよい。また、半導体光源を用いる場合、白色光を出射する半導体光源を用いてもよいし、Ｒ（赤）、Ｇ（緑）、Ｂ（青）の色成分ごとに半導体光源を設け、これらの半導体光源から出射される各色成分の光を合成して白色光を得るものであってもよい。または、時分割でＲ光、Ｇ光、Ｂ光の画像を撮像し、画像処理にて合成してもよい（同時化処理）。【００２８】
調光制御回路３２は、ランプ３１から照明光を照射するタイミングや光量などを制御する。【００２９】
次に、スコープ１のＦＰＧＡ１３におけるゲインパラメータの設定方法について、図２、図３を用いて説明する。図２は、従来の内視鏡システムにおける、スコープからの出力映像信号レベルとモニタへの出力映像信号レベルとの関係を説明する図である。また、図３は、本発明の内視鏡システムにおける、スコープからの出力映像信号レベルとモニタへの出力映像信号レベルとの関係を説明する図である。【００３０】
なお、図２、図３の内視鏡システムは、共に、モニタの有効階調領域は０〜１００ＩＲＥ、モニタに表示可能な出力映像信号の最大値は１０９ＩＲＥであるものとする。また、図２、図３の内視鏡システムは、共に、次世代のスコープ（線形飽和レベルを超える高いレベルの信号まで出力するタイプのスコープ）と、従来のプロセッサ（スコープから出力される映像信号の最大値が、モニタに出力する映像信号の最大値となるように、ガンマカーブが設定されているプロセッサ）とを組み合わせて構成されているものとする。【００３１】
また、図２、図３の内視鏡システムのプロセッサには、共に、低コントラストの画像をモニタに表示させる際に用いるガンマカーブ（図中において、太線で示したコントラストＬｏｗのガンマカーブ）と、高コントラストの画像をモニタに表示させる際に用いるガンマカーブ（図中において、太破線で示したコントラストＨｉｇｈのガンマカーブ）の２種類のガンマカーブが設定されているものとする。【００３２】
図２に示すように、従来の内視鏡システムでは、スコープから出力される映像信号の最大値が、モニタに出力する映像信号の最大値となるように、ガンマカーブが設定されている。すなわち、スコープから出力される映像信号の最大値が１０９ＩＲＥになるように、ガンマカーブが設定されている。図２に示すように、立ち上がりが急峻である高コントラスト用のガンマカーブでは、スコープから出力される映像信号の線形飽和レベルが、モニタの有効階調領域外（１００ＩＲＥから１０９ＩＲＥの間の値）になる。従って、モニタの有効階調領域には、必ず線形飽和レベル以下であり線形性が保たれた映像信号のみが表示される。【００３３】
しかし、立ち上がりが緩やかである低コントラスト用のガンマカーブでは、スコープから出力される映像信号の線形飽和レベルが、モニタの有効階調領域内（例えば、９５ＩＲＥ）となってしまう。すなわち、モニタの有効階調領域に、スコープから出力される映像信号において、線形飽和レベルを超えて線形性を保てない領域も表示されてしまう。【００３４】
そこで、図３に示すように、本実施形態の内視鏡システムは、映像信号に乗ずるゲインパラメータを大きくし、低コントラスト用のガンマカーブにおけるスコープ出力映像信号の線形飽和レベルが、モニタの有効階調領域の最大値（１００ＩＲＥ）以上になるように、ゲインパラメータを設定する。このようにゲインパラメータを調整することで、モニタの有効階調領域には、必ず線形飽和レベル以下であり線形性が保たれた映像信号のみが表示される。従って、モニタ４に表示する映像の画質の劣化を防ぐことができる。【００３５】
このように、本実施形態によれば、スコープ１にプロセッサ２が接続されると、プロセッサ２に設定されているガンマカーブがスコープ１に送信される。スコープ１のゲイン調整部１３２は、受信したガンマカーブを参照し、スコープ出力映像信号レベルにおける線形飽和レベルの値が、モニタ出力映像信号レベルにおける有効階調領域の最大値以上の値に変換されるように、ゲインパラメータを設定する。ゲイン調整部１３２で設定されたゲインパラメータを用いて、映像信号処理回路１２２から受信した映像信号の出力レベルを調整することで、モニタの有効階調領域には、必ず線形飽和レベル以下であり線形性が保たれた映像信号のみを表示することができため、モニタ４に表示する映像の画質の劣化を防ぐことができる。【００３６】
なお、上述の説明においては、ガンマカーブを送信するタイミングは、スコープ１とプロセッサ２とが接続された時にガンマカーブが自動的に送信されるようにしているが、ユーザの指示や、スコープ１からの要求を受信したときなど、任意のタイミングで送信可能に構成してもよい。【００３７】
また、プロセッサ２に設定されているガンマカーブの種類は２種類に限定されず、１種類でもよいし、３種類以上設定されていてもよい。３種類以上設定されている場合も、スコープ出力映像信号レベルにおける線形飽和レベルが対応する、モニタ出力映像信号レベルの値が最も小さいガンマカーブを用いて、ゲイン調整を行う。【００３８】
（第２の実施形態）
上述した第１の実施形態の電子内視鏡では、スコープ１はプロセッサ２からガンマカーブを受信し、ゲインパラメータを調整していた。これに対し、本実施形態においては、スコープ１´は接続されているプロセッサ２を識別する情報（ＩＤなど）を受信し、概情報に基づきゲインパラメータを設定する点が異なっている。【００３９】
図４は、第２の実施形態に係わる内視鏡システムの全体構成の一例を説明するブロック図である。本実施形態の内視鏡システムの構成は、スコープ１´にＲＯＭ１３８が設けられている点と、ガンマ特性認識部１３３に換えてプロセッサ識別部１３７を有する点を除き、図１を用いて説明した第１の実施形態に係わる内視鏡システムと同様である。以下、同じ構成要素には同じ符号を付して説明を省略する。【００４０】
プロセッサ識別部１３７は、スコープ１´に接続されているプロセッサ２の種別を識別する。例えば、プロセッサ２にＩＤが付与されており、概ＩＤ情報によってプロセッサ２の種別が識別可能である場合、スコープ１´にプロセッサ２が接続されると、プロセッサ識別部１３７は、通信回路２５、１３６を介してプロセッサ２からＩＤ情報を受信する。なお、通信回路２５は、プロセッサ２が有する図示しないＣＰＵ制御の下、所定のＩＤ情報を通信回路１３６に伝達するようにしてもよい。また、ＩＤ以外の情報によって、プロセッサ２の種別を識別するようにしてもよい。プロセッサ識別部１３７は、識別したプロセッサ２の種別を、ゲイン調整部１３２に出力する。【００４１】
ＲＯＭ１３８は、不揮発性のメモリで構成された記憶部であり、スコープ１´に接続される可能性のあるプロセッサ２の種別ごとに、映像信号に乗ずるゲインパラメータが登録されている。ＲＯＭ１３８に登録されたゲインパラメータは、プロセッサ２の種別ごとに設定されているガンマカーブに基づき、スコープ出力映像信号レベルにおける線形飽和レベルの値が、モニタ出力映像信号レベルにおける有効階調領域の最大値以上の値に変換されるように、予め算出されたものである。【００４２】
ゲイン調整部１３２は、プロセッサ識別部１３７からプロセッサ２の種別の情報が入力されると、ＲＯＭ１３８を参照する。そして、ＲＯＭ１３８から、受信したプロセッサ２の種別に対応するゲインパラメータを抽出し、ゲイン回路１３１へ出力する。ゲイン回路１３１は、ゲイン調整部１３２で設定されたゲインパラメータを用いて、映像信号処理回路１２２から受信した映像信号の出力レベルを調整する。【００４３】
このように、本実施形態によれば、スコープ１´にプロセッサ２が接続されると、プロセッサのＩＤなど、プロセッサ２の種別を識別可能な情報スコープ１に送信される。スコープ１´のゲイン調整部１３２は、ＲＯＭ１３８を参照し、受信したプロセッサ２の種別の情報に対応して登録されているゲインパラメータを抽出する。ゲイン調整部１３２で抽出されたゲインパラメータを用いて、映像信号処理回路１２２から受信した映像信号の出力レベルを調整することで、モニタの有効階調領域には、必ず線形飽和レベル以下であり線形性が保たれた映像信号のみを表示することができため、モニタ４に表示する映像の画質の劣化を防ぐことができる。【００４４】
本実施形態によれば、プロセッサ２からスコープ１´に対し、プロセッサのＩＤなど、プロセッサの種別を識別可能な情報を送信すればよく、ガンマカーブそのものを送信する場合に比べて、送信する情報量を削減することができる。また、プロセッサ２に複数のガンマカーブが設定されている場合も、どのガンマカーブを用いてゲインパラメータを設定すべきかを判断する必要がないので、処理を簡素にすることができる。更に、プロセッサ２の種別ごとにゲインパラメータを予め算出してＲＯＭ１３８に登録おくので、ゲイン調整部１３２ではゲインパラメータを算出する必要がなくなるため、処理をより簡素にすることができ、処理効率が向上する。【００４５】
（第３の実施形態）
上述した第１の実施形態の内視鏡システムでは、プロセッサ２のガンマカーブをスコープ１に送信し、スコープ１側でゲインパラメータの算出を行っていた。これに対し、本実施形態においては、スコープ出力映像信号レベルにおける線形飽和レベルをスコープ１″からプロセッサ２´に送信し、プロセッサ２´側でゲインパラメータの算出を行う点が異なっている。【００４６】
図５は、第３の実施形態に係わる内視鏡システムの全体構成の一例を説明するブロック図である。本実施形態の内視鏡システムの構成は、スコープ１″からガンマ特性認識部１３３が削除されている点と、プロセッサ２´にゲイン算出部２６が設けられている点を除き、図１を用いて説明した第１の実施形態に係わる内視鏡システムと同様である。以下、同じ構成要素には同じ符号を付して説明を省略する。【００４７】
ゲイン算出部２６は、スコープ１″がプロセッサ２´に接続されると、スコープ１″から通信回路１３６、通信回路２５を介して、スコープ１″から出力される映像信号の線形飽和レベルを受信する。そして、プロセッサ２´に設定されているガンマカーブを参照し、受信した線形飽和レベルが、モニタ出力映像信号レベルにおける有効階調領域の最大値以上の値に変換されるために必要となるゲインパラメータを算出する。なお、プロセッサ２´に複数のガンマカーブが設定されている場合、立ち上がりの傾きが最も緩やかなガンマカーブを用いてゲインパラメータを算出する。算出したゲインパラメータは、通信回路２５、通信回路１３６を介して、スコープ１″のゲイン調整部１３２に出力される。【００４８】
ゲイン調整部１３２は、プロセッサ２´から入力されたゲインパラメータを、ゲイン回路１３１へ出力する。ゲイン回路１３１は、ゲイン調整部１３２から入力ゲインパラメータを用いて、映像信号処理回路１２２から受信した映像信号の出力レベルを調整する。【００４９】
このように、本実施形態によれば、プロセッサ２´側でスコープ１″の映像信号に乗ずるゲインパラメータを算出し、スコープ１″はプロセッサ２´から入力されたゲインパラメータを用いて映像信号の出力レベルを調整すればよい。従って、スコープ１″でゲインパラメータを算出する処理が不要となるため、回路規模を削減することができる。【００５０】
本明細書における各「部」は、実施の形態の各機能に対応する概念的なもので、必ずしも特定のハードウェアやソフトウエア・ルーチンに１対１には対応しない。従って、本明細書では、実施の形態の各機能を有する仮想的回路ブロック（部）を想定して実施の形態を説明した。また、本実施の形態における各手順の各ステップは、その性質に反しない限り、実行順序を変更し、複数同時に実行し、あるいは実行毎に異なった順序で実行してもよい。さらに、本実施の形態における各手順の各ステップの全てあるいは一部をハードウェアにより実現してもよい。【００５１】
本発明のいくつかの実施形態を説明したが、これらの実施形態は、例として例示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。【００５２】
本出願は、２０１６年９月１日に日本国に出願された特願２０１６−１７０７８４号を優先権主張の基礎として出願するものであり、上記の開示内容は、本願明細書、請求の範囲に引用されるものとする。
【図１】
2018042717.tif 000003
【図２】
2018042717.tif 000004
【図３】
2018042717.tif 000005
【図４】
2018042717.tif 000006
【図５】
2018042717.tif 000007
【手続補正書】
【提出日】平成29年7月25日(2017.7.25)
【手続補正１】
【補正対象書類名】明細書
【補正対象項目名】０００７
【補正方法】変更
【補正の内容】
【０００７】
本発明の一態様の電子内視鏡は、所定のガンマ特性を有するプロセッサに着脱自在に接続される電子内視鏡において、被検体に挿入される挿入部の先端に設けられ、前記被検体の光学像を撮像して撮像信号を生成する撮像素子と、前記撮像信号を所定のゲインパラメータを用いて増幅するゲイン回路と、前記プロセッサの前記ガンマ特性を認識するガンマ特性認識部と、前記ゲインパラメータを、前記ガンマ特性に応じて設定するゲイン調整部と、を有する。
【手続補正２】
【補正対象書類名】特許請求の範囲
【補正対象項目名】全文
【補正方法】変更
【補正の内容】
【特許請求の範囲】
【請求項１】
所定のガンマ特性を有するプロセッサに着脱自在に接続される電子内視鏡において、
被検体に挿入される挿入部の先端に設けられ、前記被検体の光学像を撮像して撮像信号を生成する撮像素子と、
前記撮像信号を所定のゲインパラメータを用いて増幅するゲイン回路と、
前記プロセッサの前記ガンマ特性を認識するガンマ特性認識部と、
前記ゲインパラメータを、前記ガンマ特性に応じて設定するゲイン調整部と、
を有する電子内視鏡。
【請求項２】
前記ガンマ特性認識部は、前記プロセッサから前記ガンマ特性を取得することを特徴とする、請求項１に記載の電子内視鏡。
【請求項３】
前記ガンマ特性認識部は、前記プロセッサから前記プロセッサの種別を取得することを特徴とする、請求項１に記載の電子内視鏡。
【請求項４】
前記プロセッサの種別または前記ガンマ特性に対応する前記ゲインパラメータを記録する記憶部を更に備え、前記ゲイン調整部は、前記ガンマ特性認識部の認識結果に対応する前記ゲインパラメータを抽出することを特徴とする、請求項３に記載の電子内視鏡。
【請求項５】
前記ゲイン調整部は、前記プロセッサのガンマ特性において、前記撮像信号の線形飽和レベルが、前記プロセッサから映像信号を出力するモニタの有効階調領域の上限レベルに変換されるように、前記ゲインパラメータを設定することを特徴とする、請求項１に記載の電子内視鏡。
【請求項６】
被検体に挿入される挿入部の先端に設けられ、前記被検体の光学像を撮像して撮像信号を生成する撮像素子と、前記撮像信号を所定のゲインパラメータを用いて増幅するゲイン回路とを備えた電子内視鏡と、
前記電子内視鏡に着脱自在に接続され、所定のガンマ特性を有するプロセッサと、
を備えた内視鏡システムにおいて、
前記プロセッサは、前記電子内視鏡における前記撮像信号の線形飽和レベルを取得し、前記ガンマ特性を用いて前記ゲインパラメータを算出するゲイン算出部を有し、前記ゲイン回路は、前記ゲイン算出部で算出された前記ゲインパラメータを用いて前記撮像信号を増幅することを特徴とする、内視鏡システム。
【請求項７】
前記ゲイン算出部は、前記プロセッサのガンマ特性において、前記撮像信号の線形飽和レベルが、前記プロセッサから映像信号を出力するモニタの有効階調領域の上限レベルに変換されるように、前記ゲインパラメータを算出することを特徴とする、請求項６に記載の内視鏡システム。
【国際調査報告】
2018042717.tif 000008
2018042717.tif 000009
2018042717.tif 000010
2018042717.tif 000011